(57)【特許請求の範囲】
【請求項１】
中間部をわずかに外方に屈曲させた形状の複数の割片を有する筒体の上下端部にフランジとナット体を一体的に設けたソケットを形成し、前記ソケットにネジを挿入してその下部を前記ナット体に螺入して組み合わせたボード用アンカーを、内穴の直径が前記ボード用アンカーのソケットの外径と同じかそれ以上に形成された外側筒体にはめ込み、この外側筒体の前記ボード用アンカーのナット体側に位置する端から、前記ボード用アンカーのソケットに設けた各割片のフランジ側の端と接する位置まで、前記割片の数と同数のスリットを設け、各スリットにより分割された羽根部を前記ボード用アンカーの割片と重なるように前記外側筒体と前記ボード用アンカーを嵌合させたことを特徴とするボード用アンカー。
【請求項２】
中間部をわずかに外方に屈曲させた形状の複数の割片を有する筒体の上下端部にフランジとナット体を一体的に設けたソケットを形成し、前記ソケットにネジを挿入してその下部を前記ナット体に螺入して組み合わせたボード用アンカーに、前記割片のフランジ側の端から、中間部までの長さより長く横幅が前記割片の横幅と同じかそれ以上の平板を平板の一端と前記の各割片のフランジ側の端を揃えるように割片の外面のフランジ側の端から中間部位置に固着したことを特徴とするボード用アンカー。
【０００１】
【発明の詳細な説明】
【発明の属する技術分野】
本発明は石膏ボード等を使用した脆弱な壁面や、裏面に手が入らないような条件の壁面に各種器具等を固定するためのアンカーに関する。
【０００２】
【従来の技術】
例えば、石膏ボード等を用いた壁面に各種器具等を固定する場合、石膏ボードは脆弱であり、直接釘やネジを用いても効かず、また、壁面の裏側には手が廻らない条件が多々あり、そこで壁面材に穴をあけ、その穴から挿入してネジを締めれば、壁面裏側で開脚し、作業者側だけで締結作業の可能なボード用アンカーが広く使用されている。
【０００３】
【発明が解決しようとする課題】
しかし、従来のボード用アンカーの開脚部分の形状は、割片が曲がって角部を構成する形状であり、その角部は時に鋭利になることもあり、石膏ボード裏面の紙を破かないようには考慮されていない。実際に負荷を支えているのはボード用アンカーでも石膏ボードに接している開脚部分のごく狭い面積のみであり、負荷がかかるのに伴い開脚部分は脆弱な石膏ボードを破るか陥没しようとする。
【０００４】
そして、石膏ボード裏面の紙が破れれば、石膏面が露出し、石膏ボードは急速に破壊されていく。実際の施工では、下穴を開けた時点で既に裏面の紙を若干破ってしまっていることが多く、破れた石膏ボードの裏面は施工後の負荷により破壊がより早く進行し、折角施工しても取付物の緩みやガタつきが発生することがあった。
【０００６】
本発明の目的は、緩みやガタつきを防止し、石膏ボードを破損せず、製造も容易で引抜強度の得られるボード用アンカーを提供することにある。
【０００７】
【課題を解決するための手段】
かかる問題点に対処するため、請求項１の発明は、中間部をわずかに外方に屈曲させた形状の複数の割片を有する筒体の上下端部にフランジとナット体を一体的に設けたソケットを形成し、前記ソケットにネジを挿入してその下部を前記ナット体に螺入して組み合わせたボード用アンカーを、内穴の直径が前記ボード用アンカーのソケットの外径と同じかそれ以上に形成された筒体にはめ込み、この筒体の前記ボード用アンカーのナット体側に位置する端から、前記ボード用アンカーのソケットに設けた各割片のフランジ側の端と接する位置まで、前記割片の数だけスリットを設け、各スリットにより分割された羽根部を前記ボード用アンカーの割片と重なるように筒体とボード用アンカーを嵌合させたものである。
【０００８】
請求項２の発明は、中間部をわずかに外方に屈曲させた形状の複数の割片を有する筒体の上下端部にフランジとナット体を一体的に設けたソケットを形成し、前記ソケットにネジを挿入してその下部を前記ナット体に螺入して組み合わせたボード用アンカーに、前記割片のフランジ側の端から、中間部までの長さより長く横幅が前記割片の横幅と同じかそれ以上広い平板を平板の一端と前記の各割片のフランジ側の端を揃えるように割片の外面のフランジ側の端から中間部位置に接着したことを特徴とするボード用アンカーとしたものである。
【０００９】
【作用】
本発明のボード用アンカーでは、石膏ボード裏面に接する金属製開脚部分に重なる形状で、ボード用アンカーの開脚に連動して開く長くて面積の広い羽根部を有する為、施工時にはネジ締めの締結感が得られ、締めすぎることによって起きる石膏ボードへの開脚部の陥没と破壊を防止することができる。また、羽根部の面積はボード用アンカーの本体割片の石膏ボード接触面よりも広く長いため、石膏ボードへの負荷を分散して弱め、石膏ボードの実効強度を高める効果が得られる。
【００１０】
【発明の実施の形態】
以下、本発明の実施例について図面を参照して説明する。図１は本発明の実施形態の一例であり、中間部をわずかに外方に屈曲させた形状の複数の割片４を有する筒体２の上下端部にフランジ５とナット体６を一体的に設けたソケットを形成し、ソケットにネジ７を挿入してその下部を前記ナット体に螺入して組み合わせたボード用アンカー１を、内穴の直径が前記ボード用アンカーのソケットの外径と同じかそれ以上に形成された外側筒体１１にはめ込み、この外側筒体１１の前記ボード用アンカー１のナット体６側に位置する端から、ボード用アンカー１のソケットに設けた各割片４のフランジ５側の端と接する位置まで、前記割片の数だけスリット１４を設け、各スリット１４により分割された羽根部１３を割片４と重なるように前記外側筒体１１とボード用アンカー１を嵌合させたものである。外側筒体１１をボード用アンカー１のナット体６と嵌合する側から見たものが図３であり、外側筒体１１は胴部１２、羽根部１３と筒状に一体に構成されるが、外側筒体１１は完全な「Ｏ」の字の環状型の筒とならなくとも、複数の羽根部１３を環状に並べることができれば、一辺を欠いた「Ｃ」の字の不完全な環状型であってもよい。また、本発明の別の実施形態として、外側筒体の胴部１２を省略し、外側筒体を羽根部１３だけで構成してもよく、その場合は図５に示すように割片４のフランジ側の端から、中間部までの長さより長く横幅が前記割片の横幅と同じかそれ以上の平板を平板の一端と前記各割片のフランジ側の端を揃えるように割片４の外面のフランジ側の端から中間部位置に接着させればよい。使用方法は、図７に示すように、石膏ボード３１に下穴３２をあけ、本発明のボード用アンカー２１を下穴３２に差し込む。続いて図８に示すように、工具２２を使ってネジ７を締めこむと、ナット体６が引き寄せられ、連動して割片４がネジ７から離れる方向へ「く」の字型に折れ曲がる。本発明のボード用アンカーにおいて割片４の上部と羽根部１３は密着しているので、割片４の開脚に追随して、羽根部１３も開脚する。図９ａに示すように石膏ボード３１と羽根部１３が平行に密着すれば、工具２２を使用する作業者は締め付け抵抗が生じた時点で締め付けを終了させる。このとき石膏ボード３１に対して羽根部１３の接する面積は最大となる。
【００１１】
【発明の効果】
従来のボード用アンカーでは、施工時にはネジの締結感が乏しい為、ネジを締めすぎ、ナット体を引き寄せすぎて開脚部分が石膏ボードに陥没してしまったり、施工後にも負荷によってボード用アンカーの開脚部分が石膏ボードにめりこんだり、石膏ボード裏面の紙の破損した箇所からボード用アンカーの開脚部の角によって破壊が進むということが避けられなかった。ボード用アンカーの細い割片の開脚部分だけでは、石膏ボードと接する表面積が小さいからである。本発明によれば、大きく開いた羽根部が石膏ボード裏面を広く保持することができるため、施工時には締め過ぎず適切な締結ができ、施工後には強い引抜強度を得られ、石膏ボードの破損を防止し、耐荷重を高めて利用者に貢献することができる。
【００１２】
本発明のボード用アンカーは、下穴に挿入するときにも引っ掛かりが少ない形状となっており、挿入するときにも周辺に引っ掛かって石膏ボードを余計に傷めず使用しやすい。また、特別な専用工具を新たに用意する必要がなく、作業者はほぼ従来どおりの使用方法でよく、作業性、コスト的にも優れる。
【図面の簡単な説明】
【図１】ボード用アンカーと外側筒体の側面を示す。
【図２】本発明の実施例の一例を図示する。
【図３】図１に示した外側筒体１８の一形態を突起側より示す。
【図４】図２の実施例において外側筒体１８の一形態を突起側より示す。
【図５】本発明の別の実施例において羽根部と割片上部が接着された状態を図示する。
【図６】従来のボード用アンカーの使用において、石膏ボードが破損されてガタつき、緩みが発生している状況を示す。
【図７】石膏ボードに挿入するときの使用状況を示す
【図８】工具を用い開脚途中の状況を示す
【図９】（ａ）本発明の実施例の開脚終了状態を側面より示す。
【図９】（ｂ）本発明の実施例の開脚終了状態をナット体側から示す。
【符号の説明】
１  ボード用アンカー
２  筒体
３  折れ曲がり部
４  割片
４ａ  割片上部
４ｂ  割片下部
５  フランジ
６  ナット体
７  ネジ
１１  外側筒体
１２  胴部
１３  羽根部
１４  スリット
１５  突起
１６  折れ線
１７  突起部
２１  ボード用アンカー
２２  工具
３１  石膏ボード
３２  下穴
３３  取付物
【図１】
0004596303.tif 000002
【図２】
0004596303.tif 000003
【図３】
0004596303.tif 000004
【図４】
0004596303.tif 000005
【図５】
0004596303.tif 000006
【図６】
0004596303.tif 000007
【図７】
0004596303.tif 000008
【図８】
0004596303.tif 000009
【図９】
0004596303.tif 000010